(57)【要約】【課題】上方が開放された箱状に形成された運搬用容器に関し、サイズ変更が必要となった場合の利便性を高めた運搬用容器を提供する。【解決手段】運搬用容器１は、軽量シート材により形成された容器基体１０と、硬質プラスチック製のコーナー部材３０を各角部分に有しており、上方が開放された箱体状に構成されている。各コーナー部材３０は、内側保持片３２と外側保持片３３とからなる側壁挿入溝３１を有しており、夫々、運搬用容器１の角部分において、前記容器基体１０の長手側壁部１２における端縁全体と、短手側壁部１３における端縁全体を保持している。【選択図】図７
2015145279.tif 000002
【特許請求の範囲】
【請求項１】
上方が開放された箱体の底面を構成する底部と、前記箱体の側面を構成する側壁部と、を有する軽量シート材により形成される容器基体と、
前記箱体の角部分において前記底部に対して垂直に立設され、前記容器基体の側壁部を保持する硬質プラスチック製のコーナー部材と、を有する運搬用容器であって、
前記コーナー部材は、
前記運搬用容器の上下方向に向かって伸び、前記容器基体の側壁部における端縁全体が挿入される側壁挿入溝を有し、
前記側壁挿入溝は、
前記コーナー部材の端部の上下にわたって上下方向に延び、前記運搬用容器の外表面を構成する外側保持片と、
前記外側保持片との間に前記側壁部を挿入可能な間隔を隔てつつ上下方向に延び、前記運搬用容器の内側に位置する内側保持片と、を有する
ことを特徴とする運搬用容器。
【請求項２】
請求項１記載の運搬用容器であって、
前記容器基体は、
前記運搬用容器の角部分に相当する範囲を切り欠いた切欠部を有し、
前記コーナー部材は、
前記容器基体の切欠部において前記底部に対して垂直に立設され、前記容器基体の側壁部を保持する
ことを特徴とする運搬用容器。
【請求項３】
請求項１又は請求項２記載の運搬用容器であって、
前記コーナー部材は、
前記側壁挿入溝における内側保持片の上部又は下部の何れかにおいて、当該内側保持片の先端を更に延出した延出補強部を有する
ことを特徴とする運搬用容器。
【請求項４】
請求項１乃至請求項３の何れかに記載の運搬用容器であって、
前記コーナー部材は、
前記外側保持片における先端部分に向かうにつれて、当該外側保持片における外側面が内側面に近づくように傾斜した傾斜部を、前記外側保持片の先端部分全体に有する
ことを特徴とする運搬用容器。
【請求項５】
請求項１乃至請求項４の何れかに記載の運搬用容器であって、
前記コーナー部材は、
前記運搬用容器の開口縁を構成する前記容器基体における側壁部の端縁に沿って配設された棒状の補強部材が挿入される補強保持部を、前記側壁保持溝の上端部分に有する
ことを特徴とする運搬用容器。
【発明の詳細な説明】
【技術分野】
【０００１】
本発明は、上方が開放された箱状に形成された運搬用容器に関する。
【背景技術】
【０００２】
従来、上方が開放された箱状を為す運搬用容器としては、軽量シート材からなる容器基体と、剛性材料としての硬質プラスチック製の部材を組み合わせて、上方が開放された直方体状のコンテナが構成されている。
【０００３】
上述のような運搬用容器に関する発明として、例えば、特許文献１に記載された発明が知られている。例えば、特許文献１記載の運搬用容器は、軽量シート材を折り曲げて底面及び一対の側壁を有する箱状とした主体に対して、上縁補強部材、下縁補強部材を取り付け、当該上縁補強部材等を介して、他方にあたる一対の側壁を構成する硬質プラスチック製の端部部材を取り付けて構成されている。
【先行技術文献】
【特許文献】
【０００４】
【特許文献１】実公平０２−０１５７８４号公報
【発明の概要】
【発明が解決しようとする課題】
【０００５】
ここで、特許文献１記載の運搬用容器では、軽量シート材からなる主体の外側面は、硬質プラスチック製の端部部材の一部である側壁保持体材によって覆われており、ボルトやリベット部によって固定されている。主体の内側面は剥き出しであるため、当該運搬用容器において、主体の側面に対して外側面側から負荷がかかってしまうと、ボルトやリベット部での固定のみが効果を奏する。これにより、側壁の変形や主体と端部部材との分離を招く虞が生じ、運搬用容器における利便性を損ねる虞がある。
【０００６】
又、このような運搬用容器においては、物流上、そのサイズが規格化されていることが多く、収容物によっては、収容しきれないことがあった。その為、種々のサイズの運搬用容器を、夫々個別に作成しておかなければならず、経済的な負担となってしまっていた。
【０００７】
この点、特許文献１記載の運搬用容器では、側壁保持体の上部に、高さ変更具を配設することにより、より高さのある運搬用容器とすることが可能となっている。又、特許文献１記載の運搬用容器においては、主体のサイズを変更することで、端部部材の間の距離（即ち、運搬用容器の長手方向の寸法）を変更可能としている。しかしながら、特許文献１記載の運搬用容器では、端部部材により構成される側面の寸法（即ち、運搬用容器の短手方向の寸法）を変更することはできず、運搬用容器のサイズ変更に伴う利便性を損なってしまっていた。
【０００８】
本発明は、上方が開放された箱状に形成された運搬用容器に関し、サイズ変更が必要となった場合の利便性を高めた運搬用容器を提供する。
【課題を解決するための手段】
【０００９】
請求項１に係る運搬用容器は、上方が開放された箱体の底面を構成する底部と、前記箱体の側面を構成する側壁部と、を有する軽量シート材により形成される容器基体と、前記箱体の角部分において前記底部に対して垂直に立設され、前記容器基体の側壁部を保持する硬質プラスチック製のコーナー部材と、を有する運搬用容器であって、前記コーナー部材は、前記運搬用容器の上下方向に向かって伸び、前記容器基体の側壁部における端縁全体が挿入される側壁挿入溝を有し、前記側壁挿入溝は、前記コーナー部材の端部の上下にわたって上下方向に延び、前記運搬用容器の外表面を構成する外側保持片と、前記外側保持片との間に前記側壁部を挿入可能な間隔を隔てつつ上下方向に延び、前記運搬用容器の内側に位置する内側保持片と、を有することを特徴とする。
【００１０】
そして、請求項２に係る運搬用容器は、請求項１記載の運搬用容器であって、前記容器基体は、前記運搬用容器の角部分に相当する範囲を切り欠いた切欠部を有し、前記コーナー部材は、前記容器基体の切欠部において前記底部に対して垂直に立設され、前記容器基体の側壁部を保持することを特徴とする。
【００１１】
又、請求項３に係る運搬用容器は、請求項１又は請求項２記載の運搬用容器であって、前記コーナー部材は、前記側壁挿入溝における内側保持片の上部又は下部の何れかにおいて、当該内側保持片の先端を更に延出した延出補強部を有することを特徴とする。
【００１２】
そして、請求項４に係る運搬用容器は、請求項１乃至請求項３の何れかに記載の運搬用容器であって、前記コーナー部材は、前記外側保持片における先端部分に向かうにつれて、当該外側保持片における外側面が内側面に近づくように傾斜した傾斜部を、前記外側保持片の先端部分全体に有することを特徴とする。
【００１３】
又、請求項５に係る運搬用容器は、請求項１乃至請求項４の何れかに記載の運搬用容器であって、前記コーナー部材は、前記運搬用容器の開口縁を構成する前記容器基体における側壁部の端縁に沿って配設された棒状の補強部材が挿入される補強保持部を、前記側壁保持溝の上端部分に有することを特徴とする。
【発明の効果】
【００１４】
請求項１に係る運搬用容器は、軽量シート材により形成された容器基体と、硬質プラスチック製のコーナー部材を有しており、上方が開放された箱体状に構成されている。コーナー部材は、外側保持片と内側保持片とからなる側壁挿入溝を有しており、前記容器基体の側壁部における端縁全体を保持している。これにより、当該運搬用容器によれば、コーナー部材の間に配置される容器基体のサイズを、水平方向に関して自在に変更可能となるので、運搬用容器のサイズに関する利便性を高め得る。そして、当該運搬用容器におけるコーナー部材において、側壁保持溝は、コーナー部材の上下方向に延びる外側保持片と内側保持片により構成され、当該外側保持片と内側保持片との間に、運搬用容器の側壁部を保持している。これにより、コーナー部材における容器基体の側壁部の保持を、側壁挿入溝を構成する外側保持片、内側保持片によって、側壁部の端縁全体にわたって行うことができるので、容器基体とコーナー部材の接合を確実に行うことができ、利便性を高めることができる。
【００１５】
請求項２に係る運搬用容器において、容器基体は、当該運搬用容器の角部分に切欠部を有しており、各コーナー部材は、容器基体の切欠部において前記底部に対して垂直に立設され、前記容器基体の側壁部を保持している。従って、当該運搬用容器によれば、容器基体に形成された切欠部に対応させて、各コーナー部材を配置することで、各コーナー部材を適正な位置に配置することができ、もって、容器基体の側壁部の保持を適正な状態で行うことができる。
【００１６】
請求項３に係る運搬用容器において、前記コーナー部材は、前記側壁挿入溝における内側保持片の上部又は下部の何れかに延出補強部を有しており、当該延出補強部は、当該内側保持片の先端を更に延出して構成されている。即ち、延出補強部は、側壁挿入溝に挿入された容器基体の側壁部に対して、より広い面積をもって接触することになるため、容器基体の側壁部を、より強固に保持する機能を果たす。従って、当該運搬用容器によれば、コーナー部材の側壁保持溝による容器基体の側壁部の保持を、より確実に行うことができ、利便性を高めることができる。
【００１７】
請求項４に係る運搬用容器において、前記コーナー部材は、前記外側保持片の先端部分全体に、傾斜部を有しており、当該傾斜部は、前記外側保持片における先端部分に向かうにつれて、当該外側保持片における外側面が内側面に近づくように傾斜している。即ち、傾斜部は、外側保持片の先端に向かうにつれて、容器基体の表面に近づくように傾斜している為、当該運搬用容器によれば、外側保持片と容器基体の表面との間に形成される段差を小さくすることができる。これにより、当該運搬用容器は、段差による引っ掛かり等の発生を抑制し、運搬作業等における利便性を高め得る。
【００１８】
請求項５に係る運搬用容器において、前記コーナー部材は、前記側壁保持溝の上端部分に、補強保持部を有しており、補強保持部には、運搬用容器の開口縁を構成する前記容器基体における側壁部の端縁に沿って配設された棒状の補強部材が挿入される。これにより、運搬用容器の開口縁の内、軽量シート材からなる部分に、補強部材を配置した態様で保持することができるので、運搬用容器の開口縁の剛性を高めることができる。又、当該運搬用容器を段積みした場合等、運搬用容器の開口縁に対して、鉛直方向に作用する荷重に十分に対抗し得る。
【図面の簡単な説明】
【００１９】
【図１】第１実施形態に係る運搬用容器の外観斜視図である。
【図２】第１実施形態に係る運搬用容器の底面側を示す外観斜視図である。
【図３】第１実施形態に係る容器基体の外観斜視図である。
【図４】第１実施形態に係る容器基体を折り曲げた状態を示す外観斜視図である。
【図５】第１実施形態に係るコーナー部材の外観斜視図である。
【図６】第１実施形態に係るコーナー部材における内側面の構成を示す外観斜視図である。
【図７】第１実施形態に係る運搬用容器の鉛直断面図である。
【図８】第１実施形態に係る運搬用容器の水平断面図である。
【図９】第１実施形態に係る運搬用容器を段積みした状態を示す外観斜視図である。
【図１０】第１実施形態に係る運搬用容器を段積みした状態を示す鉛直断面図である。
【図１１】第２実施形態に係る運搬用容器の外観斜視図である。
【図１２】第２実施形態に係るコーナー部材の外観斜視図である。
【図１３】第２実施形態に係るコーナー部材における内側面の構成を示す外観斜視図である。
【図１４】第３実施形態に係る運搬用容器の外観斜視図である。
【図１５】第３実施形態に係る上部コーナー部材の外観斜視図である。
【図１６】第３実施形態に係る上部コーナー部材における内側面の構成を示す外観斜視図である。
【図１７】第３実施形態に係る運搬用容器の鉛直断面図である。
【図１８】第４実施形態に係る運搬用容器の外観斜視図である。
【図１９】第４実施形態に係る中間コーナー部材の外観斜視図である。
【図２０】第４実施形態に係る中間コーナー部材における内側面の構成を示す外観斜視図である。
【図２１】第４実施形態に係る下部コーナー部材の外観斜視図である。
【図２２】第４実施形態に係る下部コーナー部材における内側面の構成を示す外観斜視図である。
【図２３】第４実施形態に係る運搬用容器の鉛直断面図である。
【発明を実施するための形態】
【００２０】
以下、本発明に係る運搬用容器を、運搬用容器１に適用した実施形態（第１実施形態）に基づいて、図面を参照しつつ詳細に説明する。
【００２１】
（第１実施形態）
先ず、第１実施形態に係る運搬用容器１の構成について、図１〜図１０を参照しつつ説明する。図１、図２に示すように、第１実施形態に係る運搬用容器１は、軽量シート材（例えば、プラスチック気泡ボード、プラスチック段ボール、プラスチックハニカムボード、プラスチック発泡ボード等）からなる容器基体１０と、補強アングル材２０と、硬質プラスチックにより一体成型され、当該運搬用容器１の角部分に配設されたコーナー部材３０とを有しており、上方が開放された直方体状の箱体（コンテナ）を構成する。
【００２２】
図３、図４に示すように、第１実施形態においては、容器基体１０は、略長方形状に形成され、運搬用容器１の底面を構成する底部１１と、当該底部１１の長辺側に連結されている長手側壁部１２と、当該底部１１における短辺側に連結されている短手側壁部１３とを有しており、上述したように、軽量シート材により構成されている。
【００２３】
図１〜図４に示すように、長手側壁部１２は、底部１１の長辺に沿って折り曲げることにより、運搬用容器１の長手側の側面を構成する。そして、短手側壁部１３は、底部１１の短辺に沿って折り曲げることにより、運搬用容器１における短手側の側面を構成する。
【００２４】
そして、底部１１、長手側壁部１２、短手側壁部１３により構成される各角部分には、切欠部１５が、容器基体１０の一部（底部１１、長手側壁部１２、短手側壁部１３の一部）を切り欠いて形成されている（図３、図４参照）。運搬用容器１を構成した場合、当該切欠部１５には、後述するコーナー部材３０の下端縁に形成された支持部３６が配置される（図２等参照）。
【００２５】
そして、各長手側壁部１２、各短手側壁部１３の上端縁には、補強アングル材２０が配設されている。補強アングル材２０は、断面逆Ｕ字状を為す材軸方向に長い鋼材であり、長手側壁部１２、短手側壁部１３を折り曲げた場合の上端となる端縁を覆うように配設されている。従って、補強アングル材２０は、運搬用容器１の側面を構成する長手側壁部１２及び短手側壁部１３の剛性を高めることができる。
【００２６】
図５、図６に示すように、第１実施形態に係る運搬用容器１において、各コーナー部材３０は、硬質プラスチックにより水平断面略Ｌの字状に一体成型され、運搬用容器１における短手側側面と長手側側面により構成される角部分を構成する。そして、各コーナー部材３０は、長手側壁部１２の端部を保持する側壁挿入溝３１と、短手側壁部１３の端部を保持する側壁挿入溝３１と、突起部３４と、支持部３６とを有している。
【００２７】
第１実施形態においては、コーナー部材３０における両側端面（即ち、長手側壁部１２、短手側壁部１３側に位置するコーナー部材３０の端面）には、側壁挿入溝３１が、夫々形成されている（図６参照）。各側壁挿入溝３１は、コーナー部材３０における側端面において、運搬用容器１の内側に位置する内側保持片３２と、運搬用容器１の外側に位置する外側保持片３３とによって形成されており、運搬用容器１の上下方向に延びている。
【００２８】
尚、長手側壁部１２の端部を保持する側壁挿入溝３１と、短手側壁部１３の端部を保持する側壁挿入溝３１の構成は、同一の構成である。そして、各側壁挿入溝３１において、内側保持片３２と外側保持片３３との間隔は、容器基体１０の長手側壁部１２、短手側壁部１３を構成する軽量シート材の厚みと同等となるように形成されており、夫々、側壁挿入溝３１内に長手側壁部１２、短手側壁部１３の端縁を挿入可能に構成されている（図６〜図８参照）。従って、当該内側保持片３２は、外側保持片３３と協働することで、側壁挿入溝３１内に挿入された側壁部の端部を、所定位置に保持する機能を果たす。
【００２９】
そして、第１実施形態において、各内側保持片３２は、いずれも側壁挿入溝３１の上部に延出補強部３２Ａを有している。延出補強部３２Ａは、内側保持片３２における他の部分（運搬用容器１の高さ方向中段部分）よりも、より突出するように形成されている。従って、延出補強部３２Ａは、外側保持片３３と協働することで、側壁挿入溝３１内に挿入された側壁部の端部を、より確実に保持する機能を果たす。そして、側壁挿入溝３１の上部に形成された延出補強部３２Ａは、後述するアングル保持部３５の先端と、内側保持片３２における他の部分の先端とを繋ぐように形成されている。従って、側壁挿入溝３１の上部に位置する延出補強部３２Ａは、アングル保持部３５の補強として機能する。又、延出補強部３２Ａは、補強として機能することで、コーナー部材３０に要する最低限の強度を維持しつつ、当該コーナー部材３０の軽量化に寄与し得る。更に、各コーナー部材３０の軽量化に伴い、運搬用容器１の軽量化に貢献し得る。
【００３０】
内側保持片３２の先端部分には、傾斜部３２Ｂが、前記延出補強部３２Ａの下方に形成されており、傾斜部３２Ｂは、当該内側保持片３２の先端部分に向かうにつれて、内側保持片３２の外表面（運搬用容器１の内側に位置する面）が側壁挿入溝３１の内側に近づくように傾斜している（図５〜図８参照）。従って、側壁挿入溝３１に対して、長手側壁部１２、短手側壁部１３を挿入した場合において、容器基体１０の側壁部表面と内側保持片３２との間に形成される段差を、傾斜部３２Ｂによって小さくすることができ、収容作業時における引っ掛かりの発生を低減し得る。
【００３１】
図５〜図８に示すように、外側保持片３３の先端部分には、傾斜部３３Ｂが、先端部分全体にわたって形成されている。当該傾斜部３３Ｂは、当該外側保持片３３の先端部分に向かうにつれて、外側保持片３３の外表面（運搬用容器１の外側に位置する面）が側壁挿入溝３１の内側に近づくように傾斜している。従って、側壁挿入溝３１に対して、長手側壁部１２、短手側壁部１３を挿入した場合において、容器基体１０の側壁部表面と外側保持片３３との間に形成される段差を、傾斜部３３Ｂによって小さくすることができ、段積み作業や運搬作業時における引っ掛かりの発生を低減し得る。
【００３２】
各コーナー部材３０の上面には、突起部３４が、当該コーナー部材３０の角部分において外縁に沿って突出形成されている（図５、図６等参照）。当該突起部３４は、運搬用容器１を段積みした場合に、上方に段積みされた運搬用容器１におけるコーナー部材３０の支持部３６の外側に位置する（図１０参照）。更に、第１実施形態においては、各コーナー部材３０の上面には、側壁挿入溝３１の深さに対応したスリット部が形成されており、側壁挿入溝３１の一部として機能し得るように構成されている。
【００３３】
図６、図７に示すように、各側壁挿入溝３１の上部には、アングル保持部３５がそれぞれ形成されている。各アングル保持部３５は、内側保持片３２における他の部分（運搬用容器１の下部）より先端側へ延出しており、夫々、補強アングル材２０の端部を挿入可能に形成されている。従って、当該運搬用容器１においては、側壁挿入溝３１に対して、容器基体１０における側壁部（長手側壁部１２、短手側壁部１３）の端部を挿入すると同時に、側壁部の端縁に配設された補強アングル材２０を、アングル保持部３５に挿入することができる。この時、アングル保持部３５に対して、補強アングル材２０を深く挿入することができるので、補強アングル材２０の保持部分を長くすることができ、アングル保持部３５による補強アングル材２０の保持力を高めることができる。
【００３４】
又、側壁挿入溝３１の上部に形成されるアングル保持部３５を先端側に延出するので、コーナー部材３０の上面の面積を大きくすることができる。即ち、当該運搬用容器１を段積みした場合に、段積みした運搬用容器１の荷重を、硬質プラスチック製のコーナー部材３０によって、広い面積をもって受けることができ、運搬用容器１を安定して段積みすることができる。
【００３５】
更に、上述したように、アングル保持部３５の下方に連続するように、延出補強部３２Ａが形成されているので、容器基体１０の長手側壁部１２、短手側壁部１３と、補強アングル材２０を同時に覆う部分を増やすことができる。即ち、当該運搬用容器１は、延出補強部３２Ａとアングル保持部３５の協働により、長手側壁部１２、短手側壁部１３、補強アングル材２０を、より確実に保持することができる。
【００３６】
各コーナー部材３０の下端縁には、支持部３６が、運搬用容器１の角部分にあたるコーナー部材３０の下端縁から下方に突出するように形成されている。図２、図７、図８等に示すように、各支持部３６は、運搬用容器１を組み立てた場合に、上述した容器基体１０に形成された切欠部１５内にそれぞれ配置され、当該運搬用容器１を支持している。そして、この時、コーナー部材３０の下端における支持部３６下面は、容器基体１０の底部１１下面と同一面上に位置する。従って、当該運搬用容器１によれば、運搬用容器１の底面に突出した部分が形成されることがないため、この場合においても引っ掛かりが生じる虞を低減し得る。
【００３７】
コーナー部材３０の上端面には、係合凹部３７が、コーナー部材３０の上端面から下方に向かう凹状に形成されており、その下部には、運搬用容器１の外側面に向かって開口された開口部を有している。当該係合凹部３７は、別部材に形成された係合凸部を、当該係合凹部３７に対して挿入することで、別部材を所定位置に係合保持する。
【００３８】
図５、図６に示すように、当該コーナー部材３０は、複数の基体固定部３８を有している。基体固定部３８は、夫々、長手側壁部１２及び短手側壁部１３に係る側壁挿入溝３１、アングル保持部３５近傍に形成されており、当該基体固定部３８を利用した溶着、ネジ止め或いはリベット止めによって、長手側壁部１２、短手側壁部１３、補強アングル材２０を強固に固定している。
【００３９】
以上のように構成することによって、運搬用容器１の短手側面、長手側面の何れにおいても、各コーナー部材３０の間に、長手側壁部１２、短手側壁部１３を保持している為、当該運搬用容器１によれば、容器基体１０のサイズを変更することで、当該運搬用容器１における短手方向及び長手方向の寸法を変更することができる。即ち、当該運搬用容器１によれば、収容物のサイズ等の種々の事情に応じたサイズの運搬用容器を、容器基体１０を変更するだけで提供することができ、当該運搬用容器１の利便性を高め得る。
【００４０】
又、各コーナー部材３０の側壁挿入溝３１は、内側保持片３２、外側保持片３３により構成されており、当該側壁挿入溝３１に挿入された長手側壁部１２、短手側壁部１３の端縁を挟持している。従って、容器基体１０における長手側壁部１２や短手側壁部１３に対して外力が作用した場合でも、当該運搬用容器１によれば、長手側壁部１２等を、内側保持片３２、外側保持片３３によって保持することができ、容器基体１０とコーナー部材３０が分離することを防止することができる。
【００４１】
図２等に示すように、運搬用容器１の角部分に形成された切欠部１５に、各コーナー部材３０の支持部３６を嵌合させるようにして配置しているので、当該運搬用容器１によれば、容器基体１０に対して、各コーナー部材３０を適正な位置に配置し得る。又、容器基体１０と各コーナー部材３０の配置を適正な位置にすることで、長手側壁部１２、短手側壁部１３を、コーナー部材３０の側壁挿入溝３１によって、適正に保持し得る。
【００４２】
図２、図１０に示すように、容器基体１０の底部１１下面と、各コーナー部材３０の支持部３６の下面が同一面上に位置する。従って、運搬用容器１の底面に突出した部分が形成されることはなく、段積み等の種々の作業を行う上で、引っ掛かることはない。この結果、当該運搬用容器１によれば、引っ掛かり等による作業の妨げになることがないので、段積みや運搬等の種々の作業における利便性を高めることができる。
【００４３】
各コーナー部材３０において、側壁挿入溝３１における内側保持片３２上部に、延出補強部３２Ａが形成されているので、長手側壁部１２、短手側壁部１３を、側壁挿入溝３１により深く挿入された状態で保持することができる。従って、当該運搬用容器１によれば、内側保持片３２に延出補強部３２Ａを形成することにより、容器基体１０の側壁部を、より強固に保持することができる。
【００４４】
側壁挿入溝３１の内側保持片３２において、傾斜部３２Ｂが、延出補強部３２Ａの下方に形成されており、当該内側保持片３２の先端部分に向かうにつれて、内側保持片３２の外表面（運搬用容器１の内側に位置する面）が側壁挿入溝３１の内側に近づくように傾斜している（図５〜図８参照）。この結果、容器基体１０の側壁部表面と内側保持片３２との間に形成される段差を、傾斜部３２Ｂによって小さくすることができるので、運搬用容器１は、収容作業時における引っ掛かりの発生を低減し得る。
【００４５】
一方、外側保持片３３の先端部分には、傾斜部３３Ｂが、先端部分全体にわたって形成されている。当該傾斜部３３Ｂは、当該外側保持片３３の先端部分に向かうにつれて、外側保持片３３の外表面（運搬用容器１の外側に位置する面）が側壁挿入溝３１の内側に近づくように傾斜している。従って、容器基体１０の側壁部表面と外側保持片３３との間に形成される段差を、傾斜部３３Ｂによって小さくすることができるので、当該運搬用容器１は、段積み作業や運搬作業時における引っ掛かりの発生を低減し得る。
【００４６】
各側壁挿入溝３１の上部には、アングル保持部３５がそれぞれ形成されており、補強アングル材２０の端部を挿入可能に形成されている。従って、当該運搬用容器１よれば、側壁挿入溝３１に対して、容器基体１０における側壁部（長手側壁部１２、短手側壁部１３）の端部を挿入すると同時に、側壁部の端縁に配設された補強アングル材２０を、アングル保持部３５に挿入することができる。
【００４７】
又、第１実施形態に係る運搬用容器１を段積みした場合、図９、図１０に示すように、下方の運搬用容器１におけるコーナー部材３０の突起部３４は、上方の運搬用容器１におけるコーナー部材３０の下面（支持部３６の周囲）に接触し、コーナー部材３０の上面によって、上方の運搬用容器１を支持する。上方の運搬用容器１における支持部３６が下方の運搬用容器１における突起部３４の内側に沿って配置される為、当該運搬用容器１によれば、段積みした場合の位置ずれを更に防止し得る（図１０参照）。又、硬質プラスチックによって形成されたコーナー部材３０の上端面及び下面に接触して支持されている為、運搬用容器１を段積みした場合において、上方に位置する運搬用容器１による荷重を、硬質プラスチック製のコーナー部材３０によって受けることができる。
【００４８】
以上説明したように、第１実施形態に係る運搬用容器１は、軽量シート材により形成された容器基体１０と、硬質プラスチック製のコーナー部材３０を有しており、上方が開放された箱体状に構成されている（図１、図２参照）。各コーナー部材３０は、内側保持片３２と外側保持片３３とからなる側壁挿入溝３１を有しており、前記容器基体１０の側壁部（長手側壁部１２、短手側壁部１３）における端縁全体を保持している。これにより、当該運搬用容器１によれば、各コーナー部材３０の間に配置される容器基体１０のサイズを、水平方向に関して自在に変更可能となるので、運搬用容器１のサイズに関する利便性を高め得る。
【００４９】
そして、当該運搬用容器１におけるコーナー部材３０において、側壁挿入溝３１は、コーナー部材３０の上下方向に延びる内側保持片３２と外側保持片３３により構成され、当該内側保持片３２と外側保持片３３との間に、運搬用容器１の側壁部を保持している。これにより、コーナー部材３０における容器基体１０の側壁部の保持を、側壁挿入溝３１を構成する内側保持片３２、外側保持片３３によって、側壁部の端縁全体にわたって行うことができるので、容器基体１０とコーナー部材３０の接合を確実に行うことができ、利便性を高めることができる。
【００５０】
各コーナー部材３０は、当該運搬用容器１の角部分に形成された容器基体１０の切欠部１５において前記底部１１に対して垂直に立設され、前記容器基体１０の側壁部を保持している。従って、当該運搬用容器１によれば、容器基体１０に形成された切欠部１５に、コーナー部材３０の支持部３６を嵌合させて配置することで、各コーナー部材３０を適正な位置に配置することができ、もって、容器基体１０の側壁部の保持を適正な状態で行うことができる。
【００５１】
又、前記コーナー部材３０は、前記側壁挿入溝３１における内側保持片３２の上部に、延出補強部３２Ａを有しており、当該延出補強部３２Ａは、当該内側保持片３２の先端を更に延出して構成されている。従って、当該運搬用容器１によれば、コーナー部材３０の側壁挿入溝３１に対して、容器基体１０の側壁部を、より深く挿入した状態で保持することができ、より強固に保持して利便性を高めることができる。
【００５２】
各コーナー部材３０の側壁挿入溝３１において、前記外側保持片３３の先端部分全体に、傾斜部３３Ｂを有しており、当該傾斜部３３Ｂは、前記外側保持片３３における先端部分に向かうにつれて、容器基体１０の表面に近づくように傾斜している。従って、当該運搬用容器１によれば、外側保持片３３と容器基体１０の表面との間に形成される段差を小さくすることができ、段差による引っ掛かり等の発生を抑制し、運搬作業等における利便性を高め得る。
【００５３】
更に、前記コーナー部材３０は、前記側壁挿入溝３１の上端部分に、アングル保持部３５を有しており、アングル保持部３５には、運搬用容器１の開口縁を構成する前記容器基体１０における側壁部の端縁に沿って配設された補強アングル材２０が挿入される。これにより、運搬用容器１の開口縁に、補強アングル材２０を配置することができるので、運搬用容器１の開口縁の剛性を高めることができる。又、当該運搬用容器１を段積みした場合等、運搬用容器１の開口縁に対して、鉛直方向に作用する荷重に十分に対抗し得る。
【００５４】
（第２実施形態）
次に、上述した第１実施形態と異なる実施形態（第２実施形態）について、図１１〜図１３を参照しつつ詳細に説明する。図１１に示すように、第２実施形態に係る運搬用容器１は、第１実施形態に係る運搬用容器１と同様に、軽量シート材からなる容器基体１０と、補強アングル材２０と、硬質プラスチックにより一体成型され、当該運搬用容器１の角部分に配設されたコーナー部材３０とを有しており、上方が開放された直方体状の箱体を構成する。
【００５５】
第２実施形態に係る運搬用容器１は、第１実施形態に係る運搬用容器１を基準として約３倍の高さを有するように構成されており、高さの点において、容器基体１０、コーナー部材３０の構成が相違する。従って、第１実施形態と同一の構成については、その説明を省略し、相違点に係る構成について、詳細に説明する。
【００５６】
そして、第２実施形態に係る容器基体１０は、軽量シート材により構成されており、運搬用容器１の底面を構成する略長方形状の底部１１と、当該底部１１の長辺側に連結されている長手側壁部１２と、当該底部１１における短辺側に連結されている短手側壁部１３とを有している。尚、第２実施形態に係る容器基体１０において、長手側壁部１２、短手側壁部１３は、第１実施形態に係る運搬用容器１の約３倍の高さを有するように形成されている。
【００５７】
又、底部１１、長手側壁部１２、短手側壁部１３により構成される各角部分には、切欠部１５が、容器基体１０の一部（底部１１、長手側壁部１２、短手側壁部１３の一部）を切り欠いて形成されている。運搬用容器１を構成した場合、当該切欠部１５には、後述するコーナー部材３０の下端縁に形成された支持部３６が配置される（図１１参照）。
【００５８】
各長手側壁部１２、各短手側壁部１３の上端縁には、第１実施形態と同様に、補強アングル材２０が配設されており、運搬用容器１の側面を構成する長手側壁部１２及び短手側壁部１３の剛性を高めている。又、各長手側壁部１２及び各短手側壁部１３の上側部分には、持ち手孔１４が形成されている。当該持ち手孔１４は、第２実施形態に係る運搬用容器１の長手側側面、短手側側面に位置し、段積み作業や運搬作業時に作業者によって把持される部分である。
【００５９】
そして、第２実施形態に係る各コーナー部材３０は、図１２、図１３に示すように、硬質プラスチックにより水平断面略Ｌの字状に一体成型され、運搬用容器１における短手側側面と長手側側面により構成される角部分を構成する。そして、各コーナー部材３０は、第１実施形態の約３倍の高さ寸法で形成されており、長手側壁部１２の端部を保持する側壁挿入溝３１と、短手側壁部１３の端部を保持する側壁挿入溝３１と、突起部３４と、支持部３６とを有している。
【００６０】
第２実施形態におけるコーナー部材３０においても、側壁挿入溝３１は、コーナー部材３０における両側端面（即ち、長手側壁部１２、短手側壁部１３側に位置するコーナー部材３０の端面）において、内側保持片３２と外側保持片３３によって形成されており、運搬用容器１の上下方向に延びている（図１３参照）。
【００６１】
図１３に示すように、第２実施形態における内側保持片３２は、その先端部分における上部及び下部に、延出補強部３２Ａを有すると同時に、上下の延出補強部３２Ａの間に、傾斜部３２Ｂを有している。延出補強部３２Ａは、内側保持片３２における他の部分（運搬用容器１の高さ方向中段部分）よりも、より突出するように形成されており、側壁挿入溝３１内に挿入された側壁部の端部を、より確実に保持する。そして、側壁挿入溝３１の上部に形成された延出補強部３２Ａは、後述するアングル保持部３５の先端と、内側保持片３２における他の部分の先端とを繋ぐように形成されている。従って、側壁挿入溝３１の上部に位置する延出補強部３２Ａは、アングル保持部３５の補強として機能する。又、延出補強部３２Ａは、補強として機能することで、コーナー部材３０に要する最低限の強度を維持しつつ、当該コーナー部材３０の軽量化に寄与し得る。更に、各コーナー部材３０の軽量化に伴い、運搬用容器１の軽量化に貢献し得る。
【００６２】
傾斜部３２Ｂは、当該内側保持片３２の先端部分に向かうにつれて、内側保持片３２の外表面（運搬用容器１の内側に位置する面）が側壁挿入溝３１の内側に近づくように傾斜している（図１３参照）。従って、傾斜部３２Ｂによって、容器基体１０の側壁部表面と内側保持片３２との間に形成される段差を小さくすることができるので、当該運搬用容器１は、収容作業時における引っ掛かりの発生を低減し得る。
【００６３】
第２実施形態においても、各コーナー部材３０の上面には、突起部３４が、当該コーナー部材３０の角部分において外縁に沿って突出形成されている（図１１〜図１３参照）。当該突起部３４は、運搬用容器１を段積みした場合に、上方に段積みされた運搬用容器１におけるコーナー部材３０の支持部３６の外側に位置し、段積みした場合に、上方に段積みされた運搬用容器１の位置ずれを更に防止し得る。
【００６４】
そして、第２実施形態に係るコーナー部材３０においても、側壁挿入溝３１の上部に、アングル保持部３５が内側保持片３２における他の部分（運搬用容器１の下部）より先端側へ延出しており、夫々、補強アングル材２０の端部を挿入可能に形成されている。従って、図１１に示すように、当該運搬用容器１においては、側壁挿入溝３１に対して、容器基体１０における側壁部（長手側壁部１２、短手側壁部１３）の端部を挿入すると同時に、側壁部の端縁に配設された補強アングル材２０を、アングル保持部３５に挿入することができる。この時、アングル保持部３５に対して、補強アングル材２０を深く挿入することができるので、補強アングル材２０の保持部分を長くすることができ、アングル保持部３５による補強アングル材２０の保持力を高めることができる。
【００６５】
又、側壁挿入溝３１の上部に形成されるアングル保持部３５を先端側に延出するので、コーナー部材３０の上面の面積を大きくすることができる。即ち、当該運搬用容器１を段積みした場合に、段積みした運搬用容器１の荷重を、硬質プラスチック製のコーナー部材３０によって、広い面積をもって受けることができ、運搬用容器１を安定して段積みすることができる。
【００６６】
更に、上述したように、アングル保持部３５の下方に連続するように、延出補強部３２Ａが形成されているので、容器基体１０の長手側壁部１２、短手側壁部１３と、補強アングル材２０を同時に覆う部分を増やすことができる。即ち、当該運搬用容器１は、延出補強部３２Ａとアングル保持部３５の協働により、長手側壁部１２、短手側壁部１３、補強アングル材２０を、より確実に保持することができる。
【００６７】
第２実施形態においても、各コーナー部材３０の下端縁には、支持部３６が、運搬用容器１の角部分にあたるコーナー部材３０の下端縁から下方に突出するように形成されている。図１１〜図１３に示すように、各支持部３６は、運搬用容器１を組み立てた場合に、上述した容器基体１０に形成された切欠部１５内にそれぞれ配置され、当該運搬用容器１を支持している。
【００６８】
図１２、図１３に示すように、第２実施形態に係るコーナー部材３０も、長手側壁部１２及び短手側壁部１３に係る側壁挿入溝３１、アングル保持部３５近傍に、複数の基体固定部３８を有している。これにより、当該基体固定部３８を利用した溶着、ネジ止め或いはリベット止めによって、長手側壁部１２、短手側壁部１３、補強アングル材２０を強固に固定している。
【００６９】
以上説明したように、第２実施形態に係る運搬用容器１は、第１実施形態と同様に、軽量シート材により形成された容器基体１０と、硬質プラスチック製のコーナー部材３０を有しており、第１実施形態の約３倍の高さを有する上方が開放された箱体状に構成されている（図１１参照）。そして、各コーナー部材３０は、第１実施形態の約３倍の高さを有して構成されており、内側保持片３２と外側保持片３３とからなる側壁挿入溝３１を有している。当該側壁挿入溝３１は、第２実施形態においても、容器基体１０の側壁部（長手側壁部１２、短手側壁部１３）が挿入されると、内側保持片３２と外側保持片３３の間に、前記容器基体１０の側壁部における端縁全体を保持し得る。
【００７０】
これにより、当該運搬用容器１によれば、第１実施形態よりも高さを有する構成であって、各コーナー部材３０の間に配置される容器基体１０のサイズを、水平方向に関して自在に変更可能となるので、運搬用容器１のサイズに関する利便性を高め得る。
【００７１】
第２実施形態においても、各コーナー部材３０は、第１実施形態と同様に、当該運搬用容器１の角部分に形成された容器基体１０の切欠部１５において前記底部１１に対して垂直に立設され、前記容器基体１０の側壁部を保持している（図１１参照）。従って、当該運搬用容器１によれば、容器基体１０に形成された切欠部１５に、コーナー部材３０の支持部３６を嵌合させて、各コーナー部材３０を適正な位置に配置することができ、もって、容器基体１０の側壁部の保持を適正な状態で行うことができる。
【００７２】
第２実施形態に係るコーナー部材３０は、図１３に示すように、前記側壁挿入溝３１における内側保持片３２の上部及び下部に、延出補強部３２Ａを有しており、当該延出補強部３２Ａは、当該内側保持片３２の先端を更に延出して構成されている。従って、当該運搬用容器１によれば、コーナー部材３０の側壁挿入溝３１に対して、容器基体１０の側壁部を、より深く挿入した状態で保持することができ、より強固に保持して利便性を高めることができる。
【００７３】
又、第２実施形態においては、各コーナー部材３０の側壁挿入溝３１において、前記内側保持片３２の先端部分に、傾斜部３２Ｂを有しており、当該傾斜部３２Ｂは、前記内側保持片３２における先端部分に向かうにつれて、容器基体１０の表面に近づくように傾斜している。従って、当該運搬用容器１によれば、内側保持片３２と容器基体１０の表面との間に形成される段差を小さくすることができる。これにより、収容物を収容する際に、収容物が当該段差に引っ掛かることを抑制することができ、運搬作業等における利便性を高め得る。
【００７４】
更に、第２実施形態に係るコーナー部材３０は、第１実施形態と同様に、前記側壁挿入溝３１の上端部分に、アングル保持部３５を有しており、アングル保持部３５には、運搬用容器１の開口縁を構成する前記容器基体１０における側壁部の端縁に沿って配設された補強アングル材２０が挿入される。これにより、運搬用容器１の開口縁に、補強アングル材２０を配置することができるので、運搬用容器１の開口縁の剛性を高めることができる。又、当該運搬用容器１を段積みした場合等、運搬用容器１の開口縁に対して、鉛直方向に作用する荷重に十分に対抗し得る。
【００７５】
（第３実施形態）
次に、上述した第１実施形態、第２実施形態と異なる実施形態（第３実施形態）について、図１４〜図１７を参照しつつ詳細に説明する。第３実施形態に係る運搬用容器１は、第１実施形態に係る各コーナー部材３０の上部に、上部コーナー部材４０を追加することによって、第１実施形態に係る運搬用容器１の約２倍の高さを有する運搬用容器１を構成している。
【００７６】
図１４に示すように、第３実施形態に係る運搬用容器１は、軽量シート材からなる容器基体１０と、補強アングル材２０と、硬質プラスチックにより一体成型され、当該運搬用容器１の角部分に配設されたコーナー部材３０と、コーナー部材３０の上部に連結可能に構成された上部コーナー部材４０とを有しており、第１実施形態、第２実施形態と同様に、上方が開放された直方体状の箱体を構成する。
【００７７】
第３実施形態において、容器基体１０は、軽量シート材により構成されており、運搬用容器１の底面を構成する略長方形状の底部１１と、当該底部１１の長辺側に連結されている長手側壁部１２と、当該底部１１における短辺側に連結されている短手側壁部１３とを有している。尚、第３実施形態に係る容器基体１０において、長手側壁部１２、短手側壁部１３は、第１実施形態に係る運搬用容器１の約２倍の高さを有するように形成されている。
【００７８】
又、底部１１、長手側壁部１２、短手側壁部１３により構成される各角部分には、切欠部１５が、第１実施形態と同様に、容器基体１０の一部（底部１１、長手側壁部１２、短手側壁部１３の一部）を切り欠いて形成されている。そして、各長手側壁部１２、各短手側壁部１３の上端縁には、補強アングル材２０が配設されており、運搬用容器１の側面を構成する長手側壁部１２及び短手側壁部１３の剛性を高めている。
【００７９】
第３実施形態に係るコーナー部材３０は、第１実施形態と同一の構成であり、硬質プラスチックにより水平断面略Ｌの字状に一体成型され、運搬用容器１における短手側側面と長手側側面により構成される角部分を構成する。そして、各コーナー部材３０は、第１実施形態と同様に、長手側壁部１２の端部を保持する側壁挿入溝３１と、短手側壁部１３の端部を保持する側壁挿入溝３１と、支持部３６と、係合凹部３７とを有している。第１実施形態に係るコーナー部材３０と同様の構成であるので、第３実施形態に係るコーナー部材３０の詳細な構成については、その説明を省略する。
【００８０】
上述したように、第３実施形態に係る運搬用容器１においては、各コーナー部材３０の上部に、上部コーナー部材４０を連結することで、長手側壁部１２、短手側壁部１３を保持している（図１４参照）。続いて、第３実施形態に係る運搬用容器１で用いられる上部コーナー部材４０の構成について、図１４〜図１７を参照しつつ詳細に説明する。
【００８１】
第３実施形態に係る各上部コーナー部材４０は、第１実施形態に係るコーナー部材３０と同様に、硬質プラスチックにより水平断面略Ｌの字状に一体成型され、運搬用容器１における短手側側面と長手側側面により構成される角部分を構成する。そして、各上部コーナー部材４０は、第１実施形態に係るコーナー部材３０とほぼ同じ高さ寸法で形成されており、長手側壁部１２の端部を保持する上部側壁挿入溝４１と、短手側壁部１３の端部を保持する上部側壁挿入溝４１と、係合凸部４６と、係合凹部４７とを有している。
【００８２】
第３実施形態に係る上部側壁挿入溝４１は、長手側壁部１２側、短手側壁部１３側で同一の構成であり、上部コーナー部材４０における側端面において、運搬用容器１の内側に位置する内側保持片４２と、運搬用容器１の外側に位置する外側保持片４３とによって形成されている。上部側壁挿入溝４１において、内側保持片４２と外側保持片４３との間隔は、容器基体１０の側壁部（長手側壁部１２、短手側壁部１３）を構成する軽量シート材の厚みと同等となるように形成されており、夫々、上部側壁挿入溝４１内に側壁部の端縁を挿入可能に構成されている（図１４〜図１７参照）。当該内側保持片４２は、外側保持片４３と協働することで、上部側壁挿入溝４１内に挿入された側壁部の端部における上方部分を、所定位置に保持する機能を果たす。
【００８３】
そして、内側保持片４２は、上部側壁挿入溝４１の上部に延出補強部４２Ａを有し、その下方に傾斜部４３Ｂを有している。延出補強部４２Ａは、内側保持片４２における他の部分よりも、より先端側に突出するように形成されており、アングル保持部４５の先端と、内側保持片４２における他の部分の先端とを繋ぐように形成されている。従って、上部側壁挿入溝４１の上部において、当該延出補強部４２Ａは、上部側壁挿入溝４１に挿入された側壁部の端部を、より確実に保持する機能を果たす。又、延出補強部４２Ａは、補強として機能することで、上部コーナー部材４０に要する最低限の強度を維持しつつ、当該上部コーナー部材４０の軽量化に寄与し得る。更に、各上部コーナー部材４０の軽量化に伴い、運搬用容器１の軽量化に貢献し得る。
【００８４】
傾斜部４２Ｂは、内側保持片４２の先端部分において、延出補強部４２Ａの下方に形成されており、当該内側保持片４２の先端部分に向かうにつれて、内側保持片４２の外表面（運搬用容器１の内側に位置する面）が上部側壁挿入溝４１の内側に近づくように傾斜している。従って、側壁部表面と内側保持片４２との間に形成される段差を、傾斜部４２Ｂによって小さくすることができ、収容作業時における収容物の引っ掛かりの発生を低減し得る。
【００８５】
図１４〜図１６に示すように、外側保持片４３の先端部分には、傾斜部４３Ｂが、先端部分全体にわたって形成されている。当該傾斜部４３Ｂは、当該外側保持片４３の先端部分に向かうにつれて、外側保持片４３の外表面（運搬用容器１の外側に位置する面）が上部側壁挿入溝４１の内側に近づくように傾斜している。従って、容器基体１０の側壁部表面と外側保持片４３との間に形成される段差を、傾斜部４３Ｂによって小さくすることができ、段積み作業や運搬作業時における引っ掛かりの発生を低減し得る。
【００８６】
各上部コーナー部材４０の上面には、上側突起部４４が、当該上部コーナー部材４０の角部分において外縁に沿って突出形成されている（図１４〜図１６参照）。当該突起部３４は、運搬用容器１を段積みした場合に、上方に段積みされた運搬用容器１におけるコーナー部材３０の支持部３６の外側に位置する。従って、上側突起部４４は、第３実施形態に係る運搬用容器１を段積みした場合に、上方に段積みされた運搬用容器１の位置ずれを更に防止し得る。更に、第３実施形態においては、各上部コーナー部材４０の上面には、上部側壁挿入溝４１の深さに対応したスリット部が形成されており、上部側壁挿入溝４１の一部として機能し得るように構成されている。
【００８７】
各上部側壁挿入溝４１の上部には、アングル保持部４５が内側保持片４２における他の部分（延出補強部４２Ａの下側部分）より先端側へ延出しており、長手側壁部１２、短手側壁部１３に配設された補強アングル材２０の端部を挿入可能に形成されている（図１４〜図１７参照）。この時、アングル保持部４５に対して、補強アングル材２０を深く挿入することができるので、補強アングル材２０の保持部分を長くすることができ、アングル保持部４５による補強アングル材２０の保持力を高めることができる。
【００８８】
又、上部側壁挿入溝４１の上部に形成されるアングル保持部４５を先端側に延出するので、上部コーナー部材４０の上面の面積を大きくすることができる。即ち、当該運搬用容器１を段積みした場合に、段積みした運搬用容器１の荷重を、硬質プラスチック製のコーナー部材３０、上部コーナー部材４０によって、広い面積をもって受けることができ、運搬用容器１を安定して段積みすることができる。
【００８９】
更に、上述したように、アングル保持部４５の下方に連続するように、延出補強部４２Ａが形成されているので、容器基体１０の長手側壁部１２と、短手側壁部１３と、補強アングル材２０を同時に覆う部分を増やすことができる。即ち、当該運搬用容器１は、延出補強部４２Ａとアングル保持部４５の協働により、長手側壁部１２、短手側壁部１３、補強アングル材２０を、より確実に保持することができる。
【００９０】
上部コーナー部材４０の下端面には、係合凸部４６が形成されており、コーナー部材３０の上端面に形成された係合凹部３７（図５、図６等参照）に係合可能に構成されている。具体的には、係合凸部４６は、上部コーナー部材４０の下端面から下方に突出形成された弾性係止片を有しており、その先端部分には、後述する係合凹部に形成された開口部に対して進入可能な爪部を有している。上部コーナー部材４０の係合凸部４６を、コーナー部材３０の係合凹部３７に係合させることで、上部コーナー部材４０を、コーナー部材３０の直上にあたる所定位置に固定し得る。
【００９１】
上部コーナー部材４０の上端面には、係合凹部４７が、第１実施形態におけるコーナー部材３０の係合凹部３７と同様に、上部コーナー部材４０の上端面から下方に向かう凹状に形成されており、その下部には、運搬用容器１の外側面に向かって開口された開口部を有している。当該係合凹部４７は、別部材（例えば、他の上部コーナー部材４０）に形成された係合凸部を、当該係合凹部４７に対して挿入することで、別部材を所定位置に係合保持する。
【００９２】
以上のように構成し、各コーナー部材３０上部に、夫々上部コーナー部材４０を取り付けた場合、上部コーナー部材４０の上部側壁挿入溝４１は、コーナー部材３０の上面に形成されたスリット部を介して、コーナー部材３０における側壁挿入溝３１の上方に連通するように配設される（図１７参照）。従って、第３実施形態に係る運搬用容器１によれば、側壁挿入溝３１及び上部側壁挿入溝４１によって、長手側壁部１２、短手側壁部１３を保持することができる。即ち、当該運搬用容器１によれば、コーナー部材３０上に、上部コーナー部材４０を取り付けるだけで、多大な経済的負担をかけることなく、運搬用容器１の高さ方向のサイズ変更にも対応することができる。
【００９３】
又、第３実施形態に係る運搬用容器１は、前記容器基体１０の側壁部（長手側壁部１２、短手側壁部１３）を、各角部分に配置されたコーナー部材３０及び上部コーナー部材４０によって保持しているので、各コーナー部材３０及び上部コーナー部材４０の間に配置される容器基体１０のサイズを、水平方向に関して自在に変更可能となる。これにより、第３実施形態に係る運搬用容器１は、上部コーナー部材４０の取り付けによる高さ方向のサイズ変更だけでなく、運搬用容器１の水平方向（長辺方向及び短辺方向）のサイズ変更にも対応可能となり、サイズ変更に関する利便性を高め得る。
【００９４】
そして、第３実施形態において、各コーナー部材３０は、内側保持片３２と外側保持片３３とからなる側壁挿入溝３１を有しており、各上部コーナー部材４０は、内側保持片４２と外側保持片４３とからなる上部側壁挿入溝４１を、側壁挿入溝３１と連通するように有している（図１７参照）。従って、側壁挿入溝３１及び上部側壁挿入溝４１を構成する内側保持片と外側保持片との間に、運搬用容器１の側壁部の端縁全体にわたって行うことができるので、容器基体１０とコーナー部材３０の接合を確実に行うことができ、利便性を高めることができる。
【００９５】
各コーナー部材３０は、当該運搬用容器１の角部分に形成された容器基体１０の切欠部１５において前記底部１１に対して垂直に立設され、前記容器基体１０の側壁部を保持している。又、各上部コーナー部材４０は、コーナー部材３０の係合凹部３７に対して、係合凸部４６を係合させることで、コーナー部材３０の直上に取り付けられている。これにより、当該運搬用容器１によれば、容器基体１０に形成された切欠部１５に、コーナー部材３０の支持部３６を嵌合させて配置することで、各コーナー部材３０及び上部コーナー部材４０を適正な位置に配置することができ、もって、容器基体１０の側壁部の保持を適正な状態で行うことができる。
【００９６】
又、前記コーナー部材３０は、前記側壁挿入溝３１における内側保持片３２の上部に、延出補強部３２Ａを有しており、更に、上部コーナー部材４０は、上部側壁挿入溝４１の上部に、延出補強部４２Ａを有している。そして、当該延出補強部３２Ａ及び延出補強部４２Ａは、当該内側保持片３２及び内側保持片４２の先端を更に延出して構成されているので、当該運搬用容器１によれば、コーナー部材３０の側壁挿入溝３１、上部コーナー部材４０の上部側壁挿入溝４１に対して、容器基体１０の側壁部を、より深く挿入した状態で保持することができ、より強固に保持して利便性を高めることができる。
【００９７】
コーナー部材３０及び上部コーナー部材４０は、前記外側保持片３３の先端部分全体に、傾斜部３３Ｂを有しており、外側保持片４３の先端部分全体に、傾斜部４３Ｂを有している。当該傾斜部３３Ｂ及び傾斜部４３Ｂは、前記外側保持片３３及び外側保持片４３における先端部分に向かうにつれて、容器基体１０の表面に近づくように傾斜している。従って、当該運搬用容器１によれば、外側保持片３３、外側保持片４３と容器基体１０の表面との間に形成される段差を小さくすることができ、段差による引っ掛かり等の発生を抑制し、運搬作業等における利便性を高め得る。
【００９８】
更に、第３実施形態においては、前記上部コーナー部材４０は、前記上部側壁挿入溝４１の上端部分に、アングル保持部４５を有しており、アングル保持部４５には、運搬用容器１の開口縁を構成する前記容器基体１０における側壁部の端縁に沿って配設された補強アングル材２０が挿入される。これにより、運搬用容器１の高さ方向のサイズを変更した場合であっても、運搬用容器１の開口縁に、補強アングル材２０を配置することができるので、運搬用容器１の開口縁の剛性を高めることができる。又、当該運搬用容器１を段積みした場合等、運搬用容器１の開口縁に対して、鉛直方向に作用する荷重に十分に対抗し得る。
【００９９】
（第４実施形態）
次に、上述した第１実施形態〜第３実施形態と異なる実施形態（第４実施形態）について、図１８〜図２３を参照しつつ詳細に説明する。第４実施形態に係る運搬用容器１は、図１８に示すように、軽量シート材からなる容器基体１０と、補強アングル材２０と、硬質プラスチックにより一体成型され、当該運搬用容器１の角部分に配設されたコーナー部材３０とを有しており、上方が開放された直方体状の箱体を構成する。
【０１００】
第４実施形態に係る運搬用容器１において、各コーナー部材３０は、第３実施形態と同様に、硬質プラスチックにより水平断面略Ｌの字状に成型されており、運搬用容器１における短手側側面と長手側側面により構成される角部分を構成する。第４実施形態に係る各コーナー部材３０は、上部コーナー部材４０と、中間コーナー部材５０と、下部コーナー部材６０とを連結して構成されている。
【０１０１】
図１８に示すように、第４実施形態に係る容器基体１０は、軽量シート材により長方形状に形成された底部１１と、当該底部１１の長辺側に連結されている長手側壁部１２と、当該底部１１における短辺側に連結されている短手側壁部１３とを有している。
【０１０２】
又、底部１１、長手側壁部１２、短手側壁部１３により構成される各角部分には、切欠部１５が、容器基体１０の一部（底部１１、長手側壁部１２、短手側壁部１３の一部）を切り欠いて形成されている。運搬用容器１を構成した場合、当該切欠部１５には、後述するコーナー部材３０の下端縁に形成された支持部（後述する下部コーナー部材６０の支持部６７）が配置される（図１８参照）。
【０１０３】
各長手側壁部１２、各短手側壁部１３の上端縁には、補強アングル材２０が配設されており、運搬用容器１の側面を構成する長手側壁部１２及び短手側壁部１３の剛性を高めている。又、各長手側壁部１２及び各短手側壁部１３の上側部分には、持ち手孔１４が形成されている。当該持ち手孔１４は、第４実施形態に係る運搬用容器１の長手側側面、短手側側面に位置し、段積み作業や運搬作業時に作業者によって把持される部分である。
【０１０４】
上述したように、第４実施形態に係るコーナー部材３０は、上部コーナー部材４０と、中間コーナー部材５０と、下部コーナー部材６０を連結して構成されており（図１８参照）、運搬用容器１における短手側側面と長手側側面により構成される角部分を構成する。第４実施形態において、上部コーナー部材４０は、第３実施形態に係る上部コーナー部材４０と略同様の構成であり、硬質プラスチックにより水平断面略Ｌの字状に一体成型されている。
【０１０５】
即ち、第４実施形態に係る上部コーナー部材４０は、長手側壁部１２の端部を保持する上部側壁挿入溝４１と、短手側壁部１３の端部を保持する上部側壁挿入溝４１と、係合凸部４６とを有しており、第１実施形態に係るコーナー部材３０とほぼ同じ高さ寸法で形成されている。尚、第４実施形態に係る上部コーナー部材４０は、第３実施形態に係る上部コーナー部材４０と同様の構成であるので、第４実施形態に係る上部コーナー部材４０の詳細な構成については、その説明を省略する。
【０１０６】
続いて、第４実施形態に係るコーナー部材３０を構成する中間コーナー部材５０について、図１９、図２０を参照しつつ説明する。中間コーナー部材５０は、第４実施形態に係るコーナー部材３０の中間部分を構成し、図１８等に示すように、上部コーナー部材４０と、下部コーナー部材６０の間に配設される。当該中間コーナー部材５０は、硬質プラスチックにより水平断面略Ｌ字状に成型されており、長手側壁部１２の端部における中間部分を保持する中間側壁挿入溝５１と、短手側壁部１３の端部における中間部分を保持する中間側壁挿入溝５１と、係合凹部５６と、係合凸部５７とを有している。尚、図１８、図２３等に示すように、中間コーナー部材５０は、上部コーナー部材４０と略同じ高さ寸法で形成されている。
【０１０７】
中間側壁挿入溝５１は、長手側壁部１２側、短手側壁部１３側で同一の構成であり、中間コーナー部材５０における側端面において、運搬用容器１の内側に位置する内側保持片５２と、運搬用容器１の外側に位置する外側保持片５３とによって形成されている。図２０、図２３に示すように、当該中間側壁挿入溝５１は、上部側壁挿入溝４１と同様に、運搬用容器１の鉛直方向に延びている。中間側壁挿入溝５１において、内側保持片５２と外側保持片５３との間隔は、容器基体１０の側壁部（長手側壁部１２、短手側壁部１３）を構成する軽量シート材の厚みと同等となるように形成されており、夫々、中間側壁挿入溝５１内に側壁部の端縁を挿入可能に構成されている。
【０１０８】
そして、中間コーナー部材５０における内側保持片５２は、外側保持片５３と協働することで、中間側壁挿入溝５１内に挿入された側壁部の端部を、所定位置に保持する機能を果たし、その先端部分に傾斜部５２Ｂを有している。傾斜部５２Ｂは、内側保持片５２の先端部分において、内側保持片５２の全体にわたって形成されており、当該内側保持片５２の先端部分に向かうにつれて、内側保持片５２の外表面（運搬用容器１の内側に位置する面）が中間側壁挿入溝５１の内側に近づくように傾斜している。従って、容器基体１０の側壁部表面と内側保持片５２との間に形成される段差を、傾斜部５２Ｂによって小さくすることができ、収容物を収容する際における収容物の引っ掛かりの発生を低減し得る。
【０１０９】
図１９、図２０等に示すように、外側保持片５３の先端部分には、傾斜部５３Ｂが、先端部分全体にわたって形成されている。当該傾斜部５３Ｂは、当該外側保持片５３の先端部分に向かうにつれて、外側保持片５３の外表面（運搬用容器１の外側に位置する面）が中間側壁挿入溝５１の内側に近づくように傾斜している。従って、容器基体１０の側壁部表面と外側保持片５３との間に形成される段差を、傾斜部５３Ｂによって小さくすることができるので、当該運搬用容器１によれば、段積み作業や運搬作業時における引っ掛かりの発生を低減し得る。
【０１１０】
そして、中間コーナー部材５０の上端面には、係合凹部５６が形成されており、上部コーナー部材４０の下端に形成された係合凸部４６を挿入可能に構成されている。係合凹部５６は、中間コーナー部材５０の上端面から下方に向かう凹状に形成されており、その下部には、運搬用容器１の外側面に向かって開口された開口部を有している。図１８、図２３に示すように、上部コーナー部材４０の係合凸部４６を、当該中間コーナー部材５０の係合凹部５６に対して挿入すると、係合凹部５６の開口部と、係合凸部４６の爪部とが係合する。この係合凸部４６と係合凹部５６の係合によって、中間コーナー部材５０の直上に、上部コーナー部材４０を保持し得る。
【０１１１】
中間コーナー部材５０の下端面には、係合凸部５７が形成されており、下部コーナー部材６０の上端面に形成された係合凹部６６に係合可能に構成されている。具体的には、係合凸部５７は、中間コーナー部材５０の下端面に弾性係止片を有しており、その先端部分には、後述する下部コーナー部材６０における係合凹部６６の開口部に対して進入可能な爪部を有している。図１８、図２３に示すように、中間コーナー部材５０の係合凸部５７を、下部コーナー部材６０の係合凹部６６に係合させることによって、中間コーナー部材５０を、下部コーナー部材６０の直上にあたる所定位置に固定し得る。
【０１１２】
次に、第４実施形態に係るコーナー部材３０を構成する下部コーナー部材６０について、図２１、図２２を参照しつつ説明する。下部コーナー部材６０は、第４実施形態に係るコーナー部材３０の下部を構成し、図１８等に示すように、上部コーナー部材４０、中間コーナー部材５０の下部に配設される。当該下部コーナー部材６０は、硬質プラスチックにより水平断面略Ｌ字状に成型されており、長手側壁部１２における端部の下部を保持する下部側壁挿入溝６１と、短手側壁部１３における端部の下部を保持する下部側壁挿入溝６１と、係合凹部６６と、支持部６７とを有している。尚、図１８、図２３等に示すように、下部コーナー部材６０は、上部コーナー部材４０、中間コーナー部材５０と略同じ高さ寸法で形成されている。
【０１１３】
下部側壁挿入溝６１は、下部コーナー部材６０における側端面において、運搬用容器１の内側に位置する内側保持片６２と、運搬用容器１の外側に位置する外側保持片６３とによって形成されており、上下方向に延びている（図２２、図２３参照）。下部側壁挿入溝６１において、内側保持片６２と外側保持片６３との間隔は、容器基体１０の側壁部（長手側壁部１２、短手側壁部１３）を構成する軽量シート材の厚みと同等となるように形成されており、夫々、下部側壁挿入溝６１内に側壁部の端縁を挿入可能に構成されている。当該内側保持片６２は、外側保持片６３と協働することで、下部側壁挿入溝６１内に挿入された側壁部の端部を、所定位置に保持する機能を果たす。
【０１１４】
図２２に示すように、内側保持片６２は、下部側壁挿入溝６１の下部に延出補強部６２Ａを有し、その上方に傾斜部６２Ｂを有している。延出補強部６２Ａは、内側保持片６２における他の部分よりも、より先端側へ突出するように形成されており、下部側壁挿入溝６１に挿入された側壁部の端部を、より確実に保持する機能を果たす。又、延出補強部６２Ａは、補強として機能することで、下部コーナー部材６０に要する最低限の強度を維持しつつ、当該下部コーナー部材６０の軽量化に寄与し得る。更に、各下部コーナー部材６０の軽量化に伴い、運搬用容器１の軽量化に貢献し得る。
【０１１５】
傾斜部６２Ｂは、当該内側保持片６２の先端部分に向かうにつれて、内側保持片６２の外表面（運搬用容器１の内側に位置する面）が下部側壁挿入溝６１の内側に近づくように傾斜している。従って、容器基体１０の側壁部表面と内側保持片６２との間に形成される段差を、傾斜部６２Ｂによって小さくすることができ、収容物を収容する際における収容物の引っ掛かりを低減し得る。
【０１１６】
図２１、図２２に示すように、外側保持片６３の先端部分には、傾斜部６３Ｂが、先端部分全体にわたって形成されており、当該外側保持片６３の先端部分に向かうにつれて、外側保持片６３の外表面（運搬用容器１の外側に位置する面）が下部側壁挿入溝６１の内側に近づくように傾斜している。従って、容器基体１０の側壁部表面と外側保持片６３との間に形成される段差を、傾斜部６３Ｂによって小さくすることができるので、当該運搬用容器１によれば、段積み作業や運搬作業時における引っ掛かりの発生を低減し得る。
【０１１７】
下部コーナー部材６０の上端面には、係合凹部６６が形成されており、中間コーナー部材５０の下端に形成された係合凸部５７を挿入可能に構成されている。図２１、図２２に示すように、係合凹部６６は、中間コーナー部材５０における係合凹部５６と同様に形成されている。中間コーナー部材５０の係合凸部５７を、当該下部コーナー部材６０の係合凹部６６に対して挿入すると、係合凹部６６の開口部と、係合凸部５７の爪部とが係合する為、中間コーナー部材５０は、下部コーナー部材６０の直上にあたる所定位置に固定される（図２３等参照）。
【０１１８】
そして、第４実施形態に係る下部コーナー部材６０の下端面には、支持部６７が、当該下部コーナー部材６０の下端面から下方に突出するように形成されており、運搬用容器１の角部分に配置される。図１８に示すように、各支持部６７は、運搬用容器１を組み立てた場合に、上述した容器基体１０に形成された切欠部１５内にそれぞれ配置され、当該運搬用容器１を支持している。又、容器基体１０と各コーナー部材３０を組み合わせて、運搬用容器１を構成した場合に、支持部６７の下面は、容器基体１０における底部１１と同一面上に位置する。
【０１１９】
以上説明したように、第４実施形態に係る運搬用容器１においては、各コーナー部材３０は、上部コーナー部材４０、中間コーナー部材５０、下部コーナー部材６０を連結して構成し、上部コーナー部材４０の上部側壁挿入溝４１、中間コーナー部材５０の中間側壁挿入溝５１、下部コーナー部材６０の下部側壁挿入溝６１が上下方向に連通するように配置される（図２３参照）。従って、第４実施形態に係る運搬用容器１によれば、上部側壁挿入溝４１、中間側壁挿入溝５１、下部側壁挿入溝６１によって、長手側壁部１２、短手側壁部１３を保持することができる。
【０１２０】
そして、第４実施形態において、下部コーナー部材６０に対しては、上部コーナー部材４０、中間コーナー部材５０を連結可能に構成されており（図２１、図２２参照）、中間コーナー部材５０に対しては、上部コーナー部材４０、中間コーナー部材５０を連結可能に構成されている（図１９、図２０参照）。即ち、第４実施形態に係るコーナー部材３０は、少なくとも、上部コーナー部材４０、下部コーナー部材６０を有していれば、中間コーナー部材５０の数を任意に設定して構成することができる。この結果、当該運搬用容器１によれば、コーナー部材３０を、上部コーナー部材４０、中間コーナー部材５０、下部コーナー部材６０を取り付けることで、多大な経済的負担をかけることなく、運搬用容器１の高さ方向のサイズ変更にも対応することができる。
【０１２１】
又、第４実施形態に係る運搬用容器１は、前記容器基体１０の側壁部を、各角部分に配置されたコーナー部材３０（即ち、上部コーナー部材４０、中間コーナー部材５０、下部コーナー部材６０）によって保持しているので、各コーナー部材３０の間に配置される容器基体１０のサイズを、水平方向に関して自在に変更可能となる。これにより、第４実施形態に係る運搬用容器１は、運搬用容器１の高さ方向のサイズ変更だけでなく、運搬用容器１の水平方向（長辺方向及び短辺方向）のサイズ変更にも対応可能となり、サイズ変更に関する利便性を高め得る。
【０１２２】
そして、第４実施形態において、各コーナー部材３０を構成する上部コーナー部材４０、中間コーナー部材５０、下部コーナー部材６０は、夫々、内側保持片と外側保持片とからなる側壁挿入溝（上部側壁挿入溝４１、中間側壁挿入溝５１、下部側壁挿入溝６１）を有しており、内側保持片と外側保持片との間に、運搬用容器１の側壁部の端縁全体にわたって保持している。従って、当該運搬用容器１によれば、容器基体１０とコーナー部材３０の接合を確実に行うことができ、利便性を高めることができる。
【０１２３】
又、第４実施形態においても、各コーナー部材３０は、当該運搬用容器１の角部分に形成された容器基体１０の切欠部１５において前記底部１１に対して垂直に立設され、前記容器基体１０の側壁部を保持している。これにより、当該運搬用容器１によれば、容器基体１０に形成された切欠部１５に、コーナー部材３０の支持部（即ち、下部コーナー部材６０の支持部６７）を嵌合させて配置することで、各コーナー部材３０を適正な位置に配置することができ、もって、容器基体１０の側壁部の保持を適正な状態で行うことができる。
【０１２４】
そして、前記コーナー部材３０は、上部側壁挿入溝４１における内側保持片４２の上部に、延出補強部４２Ａを有しており、更に、下部側壁挿入溝６１における内側保持片６２の下部に、延出補強部６２Ａを有している（図２３参照）。そして、当該延出補強部４２Ａ及び延出補強部６２Ａは、当該内側保持片４２及び内側保持片６２の先端を更に延出して構成されているので、当該運搬用容器１によれば、上部コーナー部材４０の上部側壁挿入溝４１、下部コーナー部材６０の下部側壁挿入溝６１に対して、容器基体１０の側壁部を、より深く挿入した状態で保持することができ、より強固に保持して利便性を高めることができる。
【０１２５】
コーナー部材３０を構成する上部コーナー部材４０、中間コーナー部材５０、下部コーナー部材６０は、前記外側保持片の先端部分全体に、傾斜部（傾斜部４３Ｂ、傾斜部５３Ｂ、傾斜部６３Ｂ）を有しており、当該傾斜部は、前記外側保持片における先端部分に向かうにつれて、容器基体１０の表面に近づくように傾斜している。従って、当該運搬用容器１によれば、外側保持片と容器基体１０の表面との間に形成される段差を小さくすることができ、段差による引っ掛かり等の発生を抑制し、運搬作業等における利便性を高め得る。
【０１２６】
更に、第４実施形態においては、前記上部コーナー部材４０は、前記上部側壁挿入溝４１の上端部分に、アングル保持部４５を有しており、アングル保持部４５には、運搬用容器１の開口縁を構成する前記容器基体１０における側壁部の端縁に沿って配設された補強アングル材２０が挿入される。これにより、運搬用容器１の高さ方向のサイズを変更した場合であっても、運搬用容器１の開口縁に、補強アングル材２０を配置することができるので、運搬用容器１の開口縁の剛性を高めることができる。又、当該運搬用容器１を段積みした場合等、運搬用容器１の開口縁に対して、鉛直方向に作用する荷重に十分に対抗し得る。
【０１２７】
以上、実施形態に基づき本発明を説明したが、本発明は上述した実施形態に何ら限定されるものではなく、本発明の趣旨を逸脱しない範囲内で種々の改良変更が可能である。例えば、上述した実施形態においては、運搬用容器１として、上方が開放された略直方体状の箱体を為すように構成していたが、この態様に限定されるものではなく、略立方体状であってもよい。
【０１２８】
又、第３実施形態、第４実施形態においては、コーナー部材３０、上部コーナー部材４０、中間コーナー部材５０、下部コーナー部材６０の高さ寸法は、第１実施形態に係るコーナー部材３０を基準として説明していたが、この態様に限定されるものではなく、様々な高さに設定し得る。更に、第３実施形態、第４実施形態におけるコーナー部材３０、上部コーナー部材４０、中間コーナー部材５０、下部コーナー部材６０は、夫々１つの種類を例として説明していたが、夫々、高さ寸法が異なる複数種類を用意する構成であってもよい。
【０１２９】
そして、本発明において、延出補強部は、前記側壁挿入溝の上部又は下部において、内側保持片の他の部分よりも、先端側に延出するように構成すればよく、上述した実施形態のように、アングル保持部の先端と内側保持片の他の部分とをつなぐ態様に限定されるものではない。例えば、アングル保持部のみを延出補強部としてもよいし、アングル保持部を除いて、内側保持片の先端側を延出した部分を本発明における延出補強部としてもよい。上述した実施形態における延出補強部及びアングル保持部を、本発明における延出補強部として把握することも可能である。
【符号の説明】
【０１３０】
１      運搬用容器
１０    容器基体
１１    底部
１２    長手側壁部
１３    短手側壁部
１５    切欠部
２０    補強アングル材
３０    コーナー部材
３１    側壁挿入溝
３２    内側保持片
３２Ａ  延出補強部
３２Ｂ  傾斜部
３３    外側保持片
３３Ｂ  傾斜部
３５    アングル保持部
３６    支持部
【図１】
2015145279.tif 000003
【図２】
2015145279.tif 000004
【図３】
2015145279.tif 000005
【図４】
2015145279.tif 000006
【図５】
2015145279.tif 000007
【図６】
2015145279.tif 000008
【図７】
2015145279.tif 000009
【図８】
2015145279.tif 000010
【図９】
2015145279.tif 000011
【図１０】
2015145279.tif 000012
【図１１】
2015145279.tif 000013
【図１２】
2015145279.tif 000014
【図１３】
2015145279.tif 000015
【図１４】
2015145279.tif 000016
【図１５】
2015145279.tif 000017
【図１６】
2015145279.tif 000018
【図１７】
2015145279.tif 000019
【図１８】
2015145279.tif 000020
【図１９】
2015145279.tif 000021
【図２０】
2015145279.tif 000022
【図２１】
2015145279.tif 000023
【図２２】
2015145279.tif 000024
【図２３】
2015145279.tif 000025